(57)【要約】【課題】  従来の郵便封筒と異なり、単に内容物を封入するだけでなく、封筒の用紙に多量のデータをプリント可能とし返信用も可能で、しかもフィルムによる窓を省略して省資源かつゴミ減らしにも貢献できることを目的とする封筒用紙を作ること。【解決手段】（１）縦長の用紙を複数区画に分割し、その上端・下端をそれぞれ封緘用とアドレス・プリント用の２つのフラップとして利用する。（２）圧着及び再湿接着剤、縦・横ミシン目を利用し、用紙の内側（封筒内面）の大部分をデータ・プリント可能区画、外側を広告区画とする。（３）折り及び圧着して上部フラップを開いた状態の封筒とし、内容物を封入後このフラップにて封緘する。（４）もし、内容物を必要としない場合には、上部フラップをも下部フラップと同様に折って弱圧着・封緘にＤＭとして利用する。（５）接着剤の選定、ミシン目の施し方によって往復封筒をも作成可能となる用紙をデザインする。【選択図】  図１
2005225565.tif 000002
【特許請求の範囲】
【請求項１】
縦方向に長い用紙を境界線となる折り線及びミシン線により縦の上下方向に複数区画に分割し、最上及び最下区画をそれぞれ横長の上及び下フラップとし、これらの区画の表裏の所定の位置に所定のパターンの強・弱感圧及び再湿接着剤の乾燥部を設け、この用紙の表面の接着剤部分を除いた部分を広告部分とし、裏面の接着剤部分を除いた部分をアドレス部分、データ・プリント及び広告部分とし、プリンター及び印刷機によってこれらのデータプリント及び広告部分をプリントし、その後この用紙を所定の折り方によって折り及び圧着して封筒とし、内容物を封入・封緘可能とし、又は内容物不要のときは圧着したのみの状態でそのまま発送可能とし、更に上部及び下部フラップを横ミシン目によって２分割し、感圧及び再湿接着剤の乾燥部分によって１回目封緘した後この封筒を受取人に発送し、受取人はこれを所定の方法によって開封した後、上、下部フラップの不要部分を横ミシン目によっ切り離し、残りの部分を封筒として、返信用に再利用可能となり、また用紙区画の一部を切り離して返信用ハガキ、振替用紙等として利用可能となる資源節約・多用途型ダブルフラップ封筒用紙。
【発明の詳細な説明】
【発明の詳細な説明】
【技術分野】
【０００１】本発明は一般的に広く利用されている各種封筒、ダイレクトメールに関するものである。
【発明が解決しようとする課題】
【０００２】（１）現在一般の郵便物に於いては、封筒は内容物を入れて郵送され、開封された後は無用のゴミとして捨てられるのが普通である。これは資源節約・ゴミ減らし、環境保護に反している。
（２）通常、封筒には、住所・宛名のプリント面を備えているが、その他の広告や、データを送るには、別のカタログやデータシートを封入しなければならずコスト・手間がかかるのが欠点である。
（３）通常、封筒は往信の一回限りの利用が一般的で、返信用封筒やハガキは別のものを同封しなければならない。
本発明の課題は、上記の色々な欠点を解決することが可能な封筒用紙を提供することである。
【課題を解決するための手段】
【０００３】（１）縦長の用紙を複数区画に分割しその上及び下段をそれぞれ封緘用及びアドレスプリント用のフラップとする。
（２）必要に応じミシン線、折り線、強・弱感圧接着剤、再湿接着剤の乾燥部分を設け、折り、強・弱圧着、再湿及び封緘を行うことが出来るようにする。
（３）内容物を封入するときは、上部フラップは開いた状態にして圧着し、封入を必要としないときは、上・下フラップとも折って圧着されるようにする。
（４）感圧接着剤は、封筒の用途別に強及び弱圧着型を使い分ける。
下部フラップは弱圧着とし、その上にアドレスプリントし外側に向くようにして折り、開封時に容易に剥がされるようにする。
（５）上、下フラップに横ミシン目を施し、開封時にこのミシン日によって上、下フラップの不要部分を切り離し、残った部分を返信用として利用する。
【本発明の実施形態】
【０００４】
【実施例１】
【０００５】  図１，２，３，４
図１は本発明による封筒用紙１の表面正面図であって、１は折り線３−１，３−２，３−３によって４区画に分割され、１−１，１−４はそれぞれ封筒の上下フラップである。
１の長手方向の左右の巾の狭い部分を２−１，２−２とし、境界線を４−１，４−２とする。区画１−３，１−４の周囲には、図１のように弱感圧接着剤の乾燥部５−１と５−１’，５−２と５−２’が施され、境界線３−３で２つ折りされたとき５−１と５−１’及び５−２と５−２’が重なり合うような関係位置にある。
図２は１の裏面正面図であって、２−１’，２−２’に強又は弱感圧接着剤の乾燥部６−１，６−１’及び６−２，６−２’が施され、１−１’，１−４’の横方向には同様に感圧接着剤の乾燥部６−２，６−２’が施され、折り線３−２で１が２つ折りされたとき、６−１と６−１’，６−２と６−１’がそれぞれ重なり合う関係位置である。  このような用紙１を折り線３−１，３−２，３−３により図３のように折り、全体を圧着すれば図４の正面図のような封筒７が得られる。
このとき各接着剤を弱感圧接着とすれば、弱圧着封筒になり、これを開封すればとすれば図１のように展開さた元の用紙がえられる。  この場合、封筒の内部に内容物を入れなくても、用紙の表面には広告、裏面には広告又はデータ・プリントが載せられるのでダイレクトメールとしての十分な役割を果たすことができる。
【実施例２】  図５，６
次に
【実施例１】において５−１，５−１’，５−２，５−２’は同様な弱感圧接着剤の乾燥部とし、６−１，６−１’を強感圧接着剤乾燥部、６−２を再湿接着剤の乾燥部とし、６−２’を廃止し、図５のように折れば、上フラップ１−１が開いたままの図６のような封筒８が得られ、内容物９を挿入し、上フラップ１−１を折って、６−２を再湿すれば封緘出来る。
また、この場合、６−１，６−１’を強感圧接着剤とすれば、１−２，１−３の左右両端が開口して９が飛び出す恐れがない。
【実施例３】  図７，８，９
これは所謂、往復封筒の場合である。
図７は用紙を折り圧着したもので往復封筒の正面図であって、短辺両端は弱及び強圧着接着剤５−１，５−１’，６−１，６−１’によって、上フラップ１−１は再湿接着剤６−２によって接着されている。往復封筒として受取人が開封するには弱接着されている下フラップ１−４’を剥がし、上フラップ１−１の中央に施された横ミシン線１０−１と、折られたとき１０−１に重なり合う位置の１−４’上に横ミシン線１０−２を施し、更に３−３にも横ミシン線を施す〔図７〕。
このような往復封筒を開封するには次のようにする。
まず下フラップ１−４’を開き互いに重なり合っている横ミシン線１０−１と１０−２を切り離すことによって、上フラップの１０−１と、下フラップの１０−２より下側の部分が切り取られ、更に下フラップの１０−２より上の部分もミシン線３−３の切り離しにより切り取られる。
こうして得られた残りの封筒は，図８の正面図と図９の側面図によって示され、上部には横ミシン線１０−１より上の部分がフラップとして、１−２と１−３とが袋状となって残り、再び返信用封筒として利用できる。
【本発明の効果】
【０００６】（１）住所・宛名とその他の色々なデータは、１枚のシート上にまとめてデータプリントされ、これらを分離することなく１セットの封書に仕上げられるので、データのミスマッチが生じない。
（２）白紙の用紙に予め所定の接着剤を塗布したものを用意しておけば、後から必要に応じデータ・プリント、広告プリントが可能なのでオンデマンド封筒用紙として最適である。
（３）従来型封筒を必要としないので重量を減らし、郵送料を節約でき、ゴミを減らすとともに省資源に役立つ。
（４）従来の封筒と異なり、往復封筒としても利用可能である。
（５）カタログ，チラシ、・・・・の他の同封物を必要とする場合にも対応できる。
（６）縦長式封筒用紙の大部分を広告、カタログ、ファックス用紙、返信ハガキ、明細書、振替用紙、・・・として多用途に利用でき、しかもデータ・プリントできるので非常に便利である。
【図面の簡単な説明】
【０００７】
【図１】本発明による封筒用紙の表面正面図
【図２】本発明による封筒用紙の裏面正面図
【図３】本発明による折られた用紙の側面図
【図４】本発明による圧着された封筒の正面図
【図５】本発明による折られた封筒の正面図
【図６】本発明による圧着された封筒の表面図
【図７】本発明による往復封筒正面図
【図８】本発明による往復封筒開封方法図
【符号の説明】
１                  ：封筒用紙
１−１，１−２，１−３，１−４：分割された区画
２−１，２−２      ：長手方向の左右の巾の狭い部分（表面）：
２−１’，２−２’  ：長手方向の左右の巾の狭い部分（裏面）
３−１，３−２，３−３        ：各区画の境界線
４−１，４−２      ：２−１，２−２，と他の部分との境界線
５−１，５−１’    ：１−３，１−４の左右両端の感圧接着剤の乾燥部    （縦方向）
５−２，５−２’    ：１−３，１−４の上下両端の感圧接着剤の乾燥部    （横方向）
６−１，６−１’    ：１−２’，１−３’の左右両端の感圧接着剤の乾燥部（縦方向）
６−２，６−２’    ：１−１’，１−４’の上下両端の感圧接着剤の乾燥部（横方向）
７                  ：内容物なしの封筒
８                  ：内容物入りの封筒
９                  ：内容物
１０−１，１０−２  ：往復封筒用ミシン線
１１                ：往復封筒の開封方法図
【図１】
2005225565.tif 000003
【図２】
2005225565.tif 000004
【図３】
2005225565.tif 000005
【図４】
2005225565.tif 000006
【図５】
2005225565.tif 000007
【図６】
2005225565.tif 000008
【図７】
2005225565.tif 000009
【図８】
2005225565.tif 000010
【図９】
2005225565.tif 000011
【手続補正書】
【提出日】平成16年9月22日(2004.9.22)
【手続補正１】
【補正対象書類名】明細書
【補正対象項目名】０００７
【補正方法】変更
【補正の内容】
【０００７】
【図１】本発明によるデーター・プリント部が連接された封筒用紙の表面正面図。
【図２】本発明によるデーター・プリント部が連接された封筒用紙を２つ折りした側面図。
【図３】本発明による封筒付カット紙の表面正面図
【図４】本発明による封筒とデーター・プリント部が切離された表面正面図。
【図５】本発明によるデーター・プリント部の４つ折り正面図。
【図６】本発明によるデーター・プリント部を封筒に封入したダイレクトメールの正面図。
【図７】本発明による切離しミシン付きデーター・プリント部が連接された封筒用紙の表面正面図。
【図８】本発明によるデーター・プリント部の両端を切離しミシンによりカットされた封筒付カット紙表面正面図。
【図９】本発明による両端がカットされたデーター・プリント部を封筒に封入したダイレクトメールの正面図。
【符号の説明】
１                            ：本発明による封筒用紙
１−１、１−２、１−３、１−４、１−５：分割された１の区画。
１−１                        ：封筒のフラップ
１−２、１−３                ：封筒部分
１−４、１−５                ：データー・プリント部分
１−４’、１−５’            ：両端を切り離されたデーター・プリント部分
２−１、２−２、２−３、２−４：各区画の境界線
３                            ：乾燥した再湿接着剤塗布部分
３−１、３−２                ：封筒部分両端の糊付け部
４                            ：封筒付カット紙
５                            ：接着加工された封筒
６                            ：データー部分が折られた封筒内の中身。
７                            ：データー部分が封入された封筒メール。
８                            ：本発明による封筒用紙。
９−１、９−２                ：１−４，１−５区画両端に施されたミシン。
１０−１、１０−２            ：９−１、９−２により区切られた両端の区画。
１１                          ：データー部分が封入された封筒メール。